(57)【要約】【課題】液晶ディスプレイ全体の電源負荷が大きく変動するのを防止し、雑音やビート妨害が生じないようにするための放電ランプ点灯装置及びこれを用いた液晶表示装置を提供する。【解決手段】複数の放電ランプに供給する駆動電圧の調光デューティの周波数を、表示画面において大きな輝度むらが生じない程度に相違させることにより、装置全体の電源負荷の変動を小さく抑える。【選択図】  図１
2004259510.tif 000002
【特許請求の範囲】
【請求項１】
並列配置された複数の放電ランプを点灯させる放電ランプ点灯装置であって、
前記複数の放電ランプそれぞれに駆動電圧を供給する複数のインバータと、
前記複数のインバータそれぞれに調光パルスを出力する調光部と、を備えており、
前記調光部は、前記各インバータに対して異なる周波数の調光パルスを出力する放電ランプ点灯装置。
【請求項２】
前記調光部は、前記放電ランプ点灯装置がバッテリーにより駆動されるときに、各インバータに対して異なる周波数の調光パルスを出力することを特徴とする請求項１に記載の放電ランプ点灯装置。
【請求項３】
前記調光部は、前記各インバータに対して出力する各調光パルスの周波数を、一定時間ごとに入れ替えることを特徴とする請求項１または２に記載の放電ランプ点灯装置。
【請求項４】
前記調光部は、２以上の調光パルスの位相が一致したときに、該調光パルス間で周波数を入れ替えることを特徴とする請求項３に記載の放電ランプ点灯装置。
【請求項５】
請求項１から４のいずれか１項に記載の放電ランプ点灯装置を有する液晶表示装置。
【請求項６】
前記放電ランプ点灯装置の前記調光部は、前記液晶表示装置において表示する映像信号の垂直ブランキング期間内において、２以上の調光パルスの位相が一致したときに、該調光パルス間で周波数を入れ替えることを特徴とする請求項５に記載の液晶表示装置。
【発明の詳細な説明】
【０００１】
【発明の属する技術分野】
本発明は、液晶ディスプレイのバックライトなどに用いる放電ランプ点灯装置に関し、特に、放電ランプの電源負荷の変動によるノイズ及びビート不良の発生を抑制した放電ランプ点灯装置、及びこれを用いた液晶表示装置に関するものである。
【０００２】
【従来の技術】
従来、液晶ディスプレイにおいては、ディスプレイ背面に複数個の蛍光灯などからなる多灯式バックライトを使用している。このバックライトは駆動回路に接続されており、バッテリー等の電源からの駆動電力を、駆動回路を通じて供給されている。また、反射型液晶ディスプレイを用いたものでは、その前方に蛍光灯などからなるフロントライトを設け、同様に駆動回路を用いて点灯するものもある。
【０００３】
このような駆動回路はインバータ回路を備えており、電源から供給される駆動電力をもとに周期１００〜４００Ｈｚのパルス点灯信号を生成し、このパルス信号がハイレベルとなっている期間でインバータ回路を駆動し、周期４０Ｋ〜２００ＫＨｚの高周波電圧を生成する。その後、この高周波電圧をバックライトに入力するようになっている。
【０００４】
このような駆動回路の例として、特許文献１に開示されているＰＷＭ方式インバータ回路では、液晶表示装置において光源となる多灯式バックライトを駆動するＰＷＭ調光方式インバータ回路において、当該多灯式バックライトの各ランプに対応した各インバータ出力のＯＮ／ＯＦＦを互いに位相をずらして実行する構成となっている。これにより、バックライトを構成する複数のランプへの電源供給が一斉に行われるのを回避でき、電源電圧の変動範囲を小さくしてビート不良の発生を抑制することができることを特徴としている。
【０００５】
また、特許文献２に開示されているバックライト制御装置では、インバータ回路の供給電圧をオン／オフするスイッチ回路のオン／オフ信号と、インバータの発信周波数の数分の一から数十分の一の周波数でオン／オフするスイッチ回路のオン／オフ信号との論理和のタイミングでスイッチ回路をオン／オフしている。これにより、電源電圧の変動が大きい場合であっても、インバータ回路に安定した電圧を供給するとともに、広範囲な調光を行うことが可能となっている。
【０００６】
【特許文献１】
特開２００２−３５４８２３号公報
【特許文献２】
特開平１１−１２２９３７号公報
【０００７】
【発明が解決しようとする課題】
ところで、液晶ディスプレイでは、バックライトへの供給電力が装置全体で用いる電力の２０〜８０％を占めている。特に、近年は、液晶ディスプレイが大型化しているが、表示画面が大きくなれば、当然バックライトの数も多くなるため、大きな電力がバックライトに供給されることになる。
【０００８】
図６は、このような従来の液晶ディスプレイにおいて、複数のバックライトへの電源供給と装置全体の電源電圧負荷との関係を模式的に表す図である。
上記のとおり、バックライトへの電力の供給は、インバータ回路からの調光パルスを用いて、インバータ回路において生成した周期４０Ｋ〜２００ＫＨｚの高周波電圧をバックライトに入力することにより行っている。表示画面の輝度にむらが生じるのを防ぐため、複数のバックライトに供給する駆動電圧の調光デューティ（調光パルスのＯＮ／ＯＦＦのタイミング）は、全て同一の周波数及び位相となるよう構成している。
【０００９】
しかしながら、大型化する液晶ディスプレイにおいては、調光パルスのＯＮ／ＯＦＦに合わせたバックライトへの供給電力により、装置全体の電源負荷が大きく変動するため、これを原因として音声系では雑音が生じたり、映像系では表示画面にビート妨害が生じたりするという問題があった。
【００１０】
したがって、本発明は、上記のような実情に鑑み、液晶ディスプレイ全体の電源負荷が大きく変動するのを防止し、雑音やビート妨害が生じないようにするための放電ランプ点灯装置及びこれを用いた液晶表示装置を提供しようとするものである。
【００１１】
【課題を解決するための手段】
上記解決課題に鑑みて鋭意研究の結果、本発明者は、複数の放電ランプに供給する駆動電圧の調光デューティの周波数を、表示画面において大きな輝度むらが生じない程度に相違させることにより、装置全体の電源負荷の変動を小さく抑えることに想到した。
【００１２】
すなわち、本発明は、並列配置された複数の放電ランプを点灯させる放電ランプ点灯装置であって、前記複数の放電ランプそれぞれに駆動電圧を供給する複数のインバータと、前記複数のインバータそれぞれに調光パルスを出力する調光部と、を備えており、前記調光部は、前記各インバータに対して異なる周波数の調光パルスを出力する放電ランプ点灯装置を提供するものである。
【００１３】
これにより、各放電ランプに対する調光デューティが同位相で重なる回数を大幅に減らすことができる。具体的には、各放電ランプに対する調光パルスの周波数を１０〜２００Ｈｚ程度ずらして生成すると、表示画面を見る人間の目には分からない程度に輝度むらの発生を抑えるとともに、装置全体の電源負荷の変動を抑制することができる。
【００１４】
本発明の放電ランプ点灯装置において、前記調光部は、前記放電ランプ点灯装置がバッテリーにより駆動されるときに、各インバータに対して異なる周波数の調光パルスを出力することを特徴とする。
放電ランプ点灯装置は、バッテリー駆動時において、電源電圧が下るにつれて電源負荷変動の影響を受け易くなるが、これを改善することができる。
【００１５】
本発明の放電ランプ点灯装置において、前記調光部は、周波数１００〜４００Ｈｚの調光パルスを発生することを特徴とする。また、本発明の放電ランプ点灯装置において、前記異なる周波数の調光パルスは、周波数が１０〜２００Ｈｚの範囲で異なっていることを特徴とする。
【００１６】
このような周波数の範囲内であれば、映像信号の垂直同期周波数又は水平同期周波数のいずれの周波数とも干渉を生じることがなく、かつ、調光デューティによる変化を人間の目に感じさせないようにすることができる。
【００１７】
本発明の放電ランプ点灯装置において、前記調光部は、前記各インバータに対して出力する各調光パルスの周波数を、一定時間ごとに入れ替えることを特徴とする。
【００１８】
これにより、各放電ランプの調光デューティによる経時変化を均等に分散するができるため、各蛍光管間での輝度のばらつきを改善することができる。特に、大型液晶パネルにおいて長い放電ランプを複数使用する場合には、ばらつき改善の効果が大きい。
【００１９】
前記調光部は、さらに、２以上の調光パルスの位相が一致したときに、上記調光パルスの周波数入れ替えを行うことを特徴とする。周波数の異なる調光パルス同士の位相は、それぞれ周期の最小公倍数の期間ごとに位相が一致するので、このタイミングを利用すれば、一定時間ごとに調光パルスの周波数入れ替えを行うことができる。
【００２０】
さらに、本発明は、上記記載の放電ランプ点灯装置を有する液晶表示装置を実現することにより、大型化して放電ランプの数が多くなっても、表示画面にフリッカーやビート妨害が生じたり、音声ノイズやうなり音が生じたりしない液晶表示装置を提供するものである。
【００２１】
本発明において、前記放電ランプ点灯装置の前記調光部は、前記液晶表示装置において表示する映像信号の垂直ブランキング期間内において、２以上の調光パルスの位相が一致したときに、該調光パルス間で周波数を入れ替えることを特徴とする。
映像信号の垂直ブランキング期間は、表示画面上には見えない期間なので、この時間に調光デューティの切り替えを行うのが好ましい。
【００２２】
【発明の実施の形態】
以下、添付図面を参照しながら、本発明の実施の形態を詳細に説明する。尚、以下に説明する本発明の放電ランプ点灯装置の実施形態は、各種液晶表示装置に内蔵されるものである。
【００２３】
図１は、本発明の一実施形態にかかる放電ランプ点灯装置の構成を概略的に示すブロック図である。
図１において、本実施形態の放電ランプ点灯装置は、表示画面部を構成する液晶パネル１１０と、マイクロプロセッサ等を内蔵しており装置内の各構成部分を制御するマイコン（マイクロコンピュータ）１２０と、外部の商用電源から適切な直流電源に変換して装置に供給するＡＣアダプタ１３０と、ＡＣアダプタ１３０から供給される電源電圧を整流してマイコン１２０に出力するレギュレータ１３１と、リチウムイオン蓄電池等からなるバッテリー１４０と、バッテリー１４０の電圧を検出するためのバッテリー電圧検出手段１４１とを含んでいる。
【００２４】
液晶パネル１１０は、バックライトとして複数の放電ランプを含んでいる。図１では、４つの放電ランプ１１１〜１１４を備えた構成を例示しているが、放電ランプの個数は液晶パネルの寸法等に応じて任意に決めることができる。
【００２５】
マイコン１２０は、さらに内部構成として、マイコン１２０内部の各構成部分及びマイコン１２０外部の所定の装置に対して制御を行う制御手段１２１と、インバータ回路１５０に調光パルスを供給する調光パルス発生回路１２２と、調光パルス発生回路１２２において生成した調光パルスのパルス幅及び周期を変調してインバータ回路１５０に入力するＰＷＭ（Ｐｕｌｓｅ  Ｗｉｄｔｈ  Ｍｏｄｕｌａｔｉｏｎ、パルス幅変調）部１２３〜１２６とを備えている。
【００２６】
調光パルス発生回路１２２は、基準発振クロックを生成する基準発振器（図示せず）を有しており、このクロックに基づいて調光パルスを生成する。本実施形態では、１つの基準発振器により周波数の異なる複数の調光パルスを生成して各ＰＷＭ部１２３〜１２６に出力するようにしてもよいし、複数の基準発振器を備え、それぞれが異なる周期の調光パルスを各ＰＷＭ部１２３〜１２６に出力するようにしてもよい。
【００２７】
本実施形態において、調光パルス発生回路１２２は、通常、１００〜４００Ｈｚの周波数の調光パルスを生成している。調光パルスの周波数は、映像信号の垂直同期周波数又は水平同期周波数と離れており、かつ、これらの周波数の整数倍とも重ならない値とするのが好ましい。映像信号との干渉が生じるのを防ぐためである。
【００２８】
尚、各ＰＷＭ部１２３〜１２６は、液晶パネル１１０の各放電ランプ１１１〜１１４に対応しているため、液晶パネル１１０の放電ランプと同数のＰＷＭ部をマイコン１２０において備えるものとする。
【００２９】
インバータ回路１５０は、複数のインバータ１５１〜１５４を含んでいる。各インバータ１５１〜１５４は、ＡＣアダプタ１３０又はバッテリー１４０から供給される直流電圧を数十Ｋ〜数百ＫＨｚの高周波電圧に変換して各放電ランプ１１１〜１１４に供給する。また、各インバータ１５１〜１５４には、調光パルス発生回路１２２により生成され各ＰＷＭ部１２３〜１２６において変調された調光パルスが入力されており、この調光パルスにより各放電ランプ１１１〜１１４に供給する高周波電圧を調整するように構成されている。
【００３０】
これにより、本実施形態の放電ランプ点灯装置においては、マイコン１２０の調光パルス発生回路１２２及び各ＰＷＭ部１２３〜１２６の動作を制御することにより、各放電ランプ１１１〜１１４に供給する高周波電圧に対して任意の調光を行うことが可能である。
【００３１】
尚、インバータ１５１〜１５４もまた、ＰＷＭ部１２３〜１２６と同様に、それぞれが液晶パネル１１０の各放電ランプ１１１〜１１４に対応しているので、インバータ回路１５０は、液晶パネル１１０の放電ランプと同数のインバータを備えるものとする。
【００３２】
本実施形態の放電ランプ点灯装置では、ＡＣアダプタ１３０及びバッテリー１４０それぞれについてスイッチ回路ＳＷ１及びＳＷ２を備えている。スイッチ回路ＳＷ１及びＳＷ２は、マイコン１２０の制御手段により動作が制御されるようになっている。
【００３３】
放電ランプ点灯装置をＡＣアダプタ１３０からの電源電圧で駆動するときには、ＳＷ１をオン（接続状態）にするとともにＳＷ２をオフ（切断状態）にする。放電ランプ点灯装置をバッテリー１４０からの電源電圧で駆動するときには、ＳＷ１をオフにするとともにＳＷ２をオンにすればよい。また、ＳＷ１及びＳＷ２の両方をオンにすると、ＡＣアダプタ１３０からの電源電圧により、放電ランプ点灯装置を駆動すると同時にバッテリー１４０を充電することが可能となる。さらに、ＳＷ１及びＳＷ２の両方をオフにすると、放電ランプ点灯装置に電源電圧が全く供給されない状態となる。
【００３４】
バッテリー電圧検出手段１４１は、バッテリー１４０の電圧を検出し、その値をマイコン１２０の制御手段１２１に出力する。制御手段１２１はこの値に基づいて、スイッチ回路ＳＷ１及びＳＷ２を制御し、放電ランプ点灯装置の駆動電源を切り替えることができる。
次に、上記のように構成された本実施形態の放電ランプ点灯装置の動作を説明する。
【００３５】
図１に示す本実施形態の放電ランプ点灯装置において、ＡＣアダプタ１３０又はバッテリー１４０により供給される電源電圧は、レギュレータ１３１において所定の直流電圧に変換され整流された後、マイコン１２０及びインバータ回路１５０に供給される。
【００３６】
マイコン１２０の制御手段１２１は、調光パルス発生回路１２２により所定周波数（本実施形態では１００〜４００Ｈｚ）の調光パルスを発生させて、各ＰＷＭ部１２３〜１２６に出力させる。各ＰＷＭ部１２３〜１２６は、入力された調光パルスを予め設定されたパルス幅及び周波数に変調して、インバータ回路１５０の各インバータ１５１〜１５４に出力する。
【００３７】
インバータ回路１５０の各インバータ１５１〜１５４は、入力された調光パルスをトリガーとして、レギュレータ１３１からの直流電圧を所定の高周波電圧（４０Ｋ〜２００ＫＨｚ）に変換し、この高周波電圧を液晶パネル１１０の各放電ランプ１１１〜１１４に供給する。
【００３８】
図２は、図１に示す本実施形態の各ＰＷＭ部、各インバータ及び各放電ランプの構成例を詳細に示す図である。図２に示す回路は、一般的に知られているバックライト用インバータ回路であり、本実施形態の構成はこの例に限られるわけではない。
【００３９】
図２において、電源２０１は図１のレギュレータ１３１から供給される直流電圧に相当するものであり、蛍光管２０２は図１の各放電ランプ１１１〜１１４に相当するものであり、ＰＷＭ調光回路部２０３は図１の各ＰＷＭ部１２３〜１２６に相当するものであり、その他の回路部分は図１の各インバータ１５１〜１５４に相当するものである。
【００４０】
図１の調光パルス発生回路１２２により生成した調光パルスは、図２に示すＰＷＭ調光回路部の端子Ｓ１に入力され、発信回路を通じてインバータ回路部分に出力される。これにより、電源２０１から供給され、高周波電圧として蛍光管２０２に出力される駆動電圧を、一定周期でオン／オフすることができるようになっている。
【００４１】
次に、本実施形態の放電ランプ点灯装置において、調光パルス発生回路１２２及び各ＰＷＭ部１２３〜１２６によりそれぞれ周波数の異なる調光パルスを生成し、各インバータ１５１〜１５４に出力する態様について説明する。
【００４２】
図３は、本実施形態の放電ランプ点灯装置において、各インバータ１５１〜１５４に出力される各調光パルスの波形を時間軸に沿って示すグラフ図である。尚、図３では、各調光パルスはＯＮ期間のパルス幅が等しい矩形パルスとしているが、本発明はこれに限定されるものではない。様々な状況（例えば、バッテリー電圧など）に応じて、表示画面の輝度が低下しないように、各ＰＷＭ部１２３〜１２６によりパルス幅を調整して調光デューティを調整できるようになっているのが好ましい。
【００４３】
図３において、各インバータ１５１〜１５４には、それぞれ異なる周波数ｆ１、ｆ２、ｆ３及びｆ４の調光パルスが出力されている。また、これらの調光パルスの周期は、それぞれ、ｔ１、ｔ２、ｔ３及びｔ４である。ここでは、各調光パルスのパルス幅は等しくなるよう各ＰＷＭ部１２３〜１２６において調整されているものとする。
【００４４】
図３では、最初の電源投入時等においては、調光パルスの位相はそろっているものの、それぞれ周波数が異なるため時間経過とともに互いに少しずつ位相がずれるようになっている。これにより、調光パルス全体に対するトータルの電源電圧の変動が小さくなっていることが分かる。
【００４５】
ここで、図３に示すように各調光パルスの周波数を異ならせる方法について説明する。調光パルスは、図１に示す調光パルス発生回路１２２の基準発振器が発生する基準発振クロックに基づいて生成されている。調光パルス発生回路１２２が１つの基準発振器を備えている場合には、基準発信クロックの周波数をｆ０とすると、この基準クロックを分周したものを各調光パルスの周波数として用いることができる。例えば、ｆ１＝ｆ０／３（３分周）、ｆ２＝ｆ０／５（５分周）、…などとすることができる。
【００４６】
このとき、周波数ｆ１及びｆ２の調光パルスの周期ｔ１及びｔ２の比は３：５となるので、それぞれ、スタート後５周期目及び３周期目において再び位相が一致することになる。
【００４７】
本実施形態では、さらに、この一定周期での位相の重なりを利用して、各調光パルス間で周波数を入れ替えるようにすることができる。例えば、図１において、インバータ１５１及び１５２に出力される調光パルス（周波数ｆ１及びｆ２）を一組とし、インバータ１５３及び１５４に出力される調光パルス（周波数ｆ３及びｆ４）を一組とし、それぞれ２つの調光パルス間で、一定周期ごとに位相が一致する度に、互いに周波数を入れ替えるようにする。上記の例では、インバータ１５１及び１５２に出力される調光パルスは、ｔ１×５（＝ｔ２×３）の期間ごとに、周波数ｆ１とｆ２とが交互に切り替わることになる。上記で、周波数を入れ替える一定の周期は、２つの調光パルスの周期の最小公倍数ｔ１×５（＝ｔ２×３）の整数倍であれば、任意の周期を設定することができる。
【００４８】
尚、３つ以上の調光パルス間で周波数を入れ替えるようにしてもよい。図４は、各インバータ１５１〜１５４に出力される各調光パルス間で一定周期ごとに周波数を入れ替える態様の一例を示す図である。図４においては、３つのインバータ１５２〜１５４に出力される各調光パルス間で、時点Ｔ１、Ｔ２、Ｔ３、…において周波数を入れ替えている。時点Ｔ１、Ｔ２、Ｔ３、…は好ましくは等しい時間間隔であり、その時間間隔は各調光パルスの周期ｔ２、ｔ３及びｔ４の最小公倍数の整数倍であるのが好ましい。
これにより、各放電ランプへの電圧供給が異なる調光デューティで一定している場合に比べて、表示画面上の輝度むらを抑制することが可能となる。
【００４９】
上記では、調光パルス発生回路１２２の基準発信器が１つである場合の例を示したが、例えば、インバータの数と同数、すなわち４個の基準発信器を備えていてもよい。あるいは、４個のマイコンと４個の基準発信器を用いて、それぞれのインバータに調光パルスを出力するような構成にしてもよい。
この場合には、図５に示すように、各基準発信クロックの周期をずらすことにより、調光パルスのスタート時の位相をそれぞれずらすことも可能である。
【００５０】
以上、説明した本実施形態の放電ランプ点灯装置によれば、複数の放電ランプに供給される電源電圧に対する各調光パルスの周波数を異ならせることにより、各調光パルス間での位相の重なりを低減し、放電ランプ点灯装置全体にかかる電源負荷の変動を抑制することができる。
【００５１】
また、放電ランプ点灯装置全体の電源負荷の変動が小さくなると、省電力化することが可能となり、ＡＣアダプタを小型化することもできる。
尚、本発明の放電ランプ点灯装置及びこれを用いた液晶表示装置は、上記した実施の形態に限定されるものではなく、本発明の要旨を逸脱することなく、様々な変更及び修正を加えることができる。
【００５２】
特に、本発明の放電ランプ点灯装置は、液晶ディスプレイを有するバックライト方式やフロントライト方式の液晶表示装置や、一般のランプを調光及び点灯制御するあらゆる電気機器において応用することが可能であり、本発明の放電ランプ点灯装置を用いた液晶表示装置は、画面フリッカー及び画面上のビート発生や音声ノイズやうなり音の発生を抑制することができる。
【００５３】
また、本発明の放電ランプ点灯装置を搭載したバッテリー駆動の電気機器において、バッテリーの出力電圧が使用とともに低下するのに応じて、調光デューティを調整することにより、表示画面を安定させることができる。
【００５４】
例えば、放電ランプ点灯装置がバッテリー駆動されている間のみ、各調光パルスの周波数を異ならせたり、各調光パルスの周波数を入れ替えたりする動作を行うように設定することができる。また、バッテリーの電圧が低下するのに応じて、調光パルスのパルス幅や周期を変更して調光デューティを大きくするようにすれば、表示画面の輝度の低下を効果的に防止することができる。
【００５５】
【発明の効果】
以上、説明したように、本発明の放電ランプ点灯装置及びこれを用いた液晶表示装置によれば、調光デューティにより装置全体の電源負荷が大きく変動するのを緩和できる。
【００５６】
これにより、画面フリッカーや画面ビート及び音声ノイズやうなり音の発生を抑制した安定な放電ランプ点灯装置及びこれを用いた高画質の液晶表示装置を提供することが可能となる。
【図面の簡単な説明】
【図１】本発明の一実施形態にかかる放電ランプ点灯装置の構成を概略的に示すブロック図である。
【図２】図１に示す各ＰＷＭ部、各インバータ及び各放電ランプの構成例を詳細に示す図である。
【図３】放電ランプ点灯装置において、各インバータ１５１〜１５４に出力される各調光パルスの波形を時間軸に沿って示すグラフ図である。
【図４】各インバータ１５１〜１５４に出力される各調光パルス間で一定周期ごとに周波数を入れ替える態様を示す図である。
【図５】放電ランプ点灯装置において、各インバータ１５１〜１５４に出力される各調光パルスの波形を時間軸に沿って示すグラフ図である。
【図６】従来の液晶ディスプレイにおいて、複数のバックライトへの電源供給と装置全体の電源電圧負荷との関係を模式的に表す図である。
【符号の説明】
１１０    液晶パネル
１１１，１１２，１１３，１１４    放電ランプ
１２０    マイコン
１２１    制御手段
１２２    調光パルス発生回路
１２３，１２４，１２５，１２６    ＰＭＷ部
１３０    ＡＣアダプタ
１３１    レギュレータ
１４０    バッテリー
１４１    バッテリー電圧検出手段
１５０    インバータ回路
１５１，１５２，１５３，１５４    インバータ
２０１    電源
２０２    蛍光管
２０３    調光回路部
【図１】
2004259510.tif 000003
【図２】
2004259510.tif 000004
【図３】
2004259510.tif 000005
【図４】
2004259510.tif 000006
【図５】
2004259510.tif 000007
【図６】
2004259510.tif 000008